(57)【要約】【課題】  開口部に対する扉体の閉じ位置が開口面方向でずれた場合でも、扉体の取付けに悪影響を及ぼすことなく、扉体の閉じ位置調整を確実、容易に行うことができる。【解決手段】  収納室Ｓの内壁部に取付けられる第１取付け部材４と、収納室Ｓの開口部を閉止する扉体１の裏面に取付けられる第２取付け部材５とに亘って、扉体１を平行又はほぼ平行姿勢に維持したまま開口部を閉止する閉止位置と開口部の外側脇に移動した開放位置とに亘って揺動案内する一対の揺動リンク６，７を設けるとともに、両揺動リンク６，７の揺動に連れて扉体を閉止位置と開放位置とに択一的に弾性力で付勢保持する付勢機構Ｂを設け、両揺動リンク６，７の先端部に亘って枢支連結された連結リンク８と第２取付け部材５との間に、扉体１の取付け位置を上下方向と左右方向に調節する開口面方向調節手段Ｃが設けられている。【選択図】        図３
2005240465.tif 000002
【特許請求の範囲】
【請求項１】
収納室の内壁部に取付けられる第１取付け部材と、収納室の開口部を閉止する扉体の裏面に取付けられる第２取付け部材とに亘って、扉体を平行又はほぼ平行姿勢に維持したまま開口部を閉止する閉止位置と開口部の外側脇に移動した開放位置とに亘って揺動案内する一対の揺動リンクを設けるとともに、揺動リンクの揺動に連れて扉体を閉止位置と開放位置とに択一的に弾性力で付勢保持する付勢機構を設けてある扉体開閉装置であって、
前記両揺動リンクの先端部に亘って枢支連結された連結リンクと第２取付け部材との間に、扉体の取付け位置を上下方向と左右方向に調節する開口面方向調節手段が設けられている扉体開閉装置。
【請求項２】
前記両揺動リンクの先端部に亘って枢支連結された連結リンクと第２取付け部材との間には、連結リンクに対する第２取付け部材の傾きを変更することによって扉体の先端位置を前後方向に調節する前後位置調節手段が設けられている請求項１記載の扉体開閉装置。
【請求項３】
前記連結リンクと第２取付け部材との相対向する部位に、両者の上下方向及び左右方向での調節を摺接案内する摺接ガイド板部が形成されている請求項１又は２記載の扉体開閉装置。
【請求項４】
前記連結リンクの摺接ガイド板部には、第２取付け部材に形成された連結板部を少なくとも上下調節範囲及び左右調節範囲内で相対移動自在に前後方向から差し入れ自在な開口部が形成され、この開口部に差し入れられた第２取付け部材の連結板部と連結リンクの摺接ガイド板部の先端側に形成された連結板部との間に開口面方向調節手段が設けられている請求項３記載の扉体開閉装置。
【請求項５】
前記開口面方向調節手段が、連結リンクの連結板部に形成された調節用長孔を通して第２取付け部材の連結板部に形成されたネジ孔に螺合固定される第１ネジ部材と、連結リンクの連結板部と第２取付け部材の連結板部との対向面間隔を調節する第２ネジ部材とから構成されている請求項４項記載の扉体開閉装置。
【請求項６】
前記連結リンクの連結板部が、第１ネジ部材の操作頭部に相当する寸法分だけ第２取付け部材の連結板部側に屈曲形成されている請求項５項記載の扉体開閉装置。
【請求項７】
前記第１取付け部材と一方の揺動リンクの基端部との相対向する部位の少なくとも一方で、かつ、揺動リンクの揺動軸芯よりも先端側及び基端側の各々に、相手側に接触又は近接する荷重受け部が形成されている請求項１〜６のいずれか１項に記載の扉体開閉装置。
【請求項８】
前記第１取付け部材を構成する取付け基板の長辺側に、一方の揺動リンクの基端部を揺動自在に軸支するための軸受け片が折り曲げ形成され、短辺側には、他方の揺動リンクの基端部を揺動自在に軸支するための軸受け片と、付勢機構の引張コイルバネの一端側を取付けるための取付け片が折り曲げ形成されているとともに、一方の揺動リンクの基端部側には、引張コイルバネの他端側を取付けるための取付け部を備え、かつ、一方の揺動リンクを枢着するための枢支軸の突出端部を迂回する状態で取付け基板側に屈曲形成された受け部材が揺動自在に枢着されている請求項１〜６のいずれか１項に記載の扉体開閉装置。
【発明の詳細な説明】
【技術分野】
【０００１】
本発明は、シンクキャビネットや吊り戸棚等の建具或いは食器棚、書棚、下駄箱等の家具などに装備される扉体の開閉装置で、詳しくは、収納室の内壁部に取付けられる第１取付け部材と、収納室の開口部を閉止する扉体の裏面に取付けられる第２取付け部材とに亘って、扉体を平行又はほぼ平行姿勢に維持したまま開口部を閉止する閉止位置と開口部の外側脇に移動した開放位置とに亘って揺動案内する一対の揺動リンクを設けるとともに、揺動リンクの揺動に連れて扉体を閉止位置と開放位置とに択一的に弾性力で付勢保持する付勢機構を設けてある扉体開閉装置に関する。
【背景技術】
【０００２】
従来の扉体開閉装置では、第２取付け部材の二箇所に連結孔を形成して、これと揺動リンクの先端側に形成された連結孔とに亘って挿入される連結ピンにより、第２取付け部材と一対の揺動リンクとを相対揺動自在に枢支連結するとともに、第２取付け部材を扉体の裏面の所定位置にビス止め固定していた（例えば、特許文献１、特許文献２参照）
【０００３】
【特許文献１】特開平４−３８３８６号公報
【特許文献１】特開平２００１−２４８３５５号公報
【発明の開示】
【発明が解決しようとする課題】
【０００４】
従来の扉体開閉装置では、扉体の裏面に第２取付け部材の取付け位置をマーキングして、その取付け位置に第２取付け部材をビス止めしたのち、第２取付け部材と一対の揺動アームの先端部とを連結ピンで枢支連結する方法が採られているが、扉体に対する第２取付け部材の取付け誤差や収納室の内壁部に対する第１取付け部材の取付け誤差等によって、収納ハウジングの開口部に対する扉体の閉じ位置が上下方向又は左右方向若しくは両方向にずれることがあった。
【０００５】
また、このような扉体の開口面方向での位置ずれを修正する方法として、扉体に対する第２取付け部材の取付け孔を、上下方向及び左右方向での調節代を見込んだ大径孔に形成する方法が考えられるが、これによる場合は、取付け孔の拡径化による調節範囲の拡大に制約があり、しかも、ネジの締付け操作や弛み操作等の繰り返しによる調整に連れて扉体側のネジ孔が損傷して扉体の取付けが不安定になる可能性がある。
【０００６】
本発明は、上述の実状に鑑みて為されたものであって、その主たる課題は、開口部に対する扉体の閉じ位置が開口面方向でずれた場合でも、扉体の取付けに悪影響を及ぼすことなく、扉体の閉じ位置調整を確実、容易に行うことができる扉体開閉装置を提供する点にある。
【課題を解決するための手段】
【０００７】
本発明による第１の特徴構成は、収納室の内壁部に取付けられる第１取付け部材と、収納室の開口部を閉止する扉体の裏面に取付けられる第２取付け部材とに亘って、扉体を平行又はほぼ平行姿勢に維持したまま開口部を閉止する閉止位置と開口部の外側脇に移動した開放位置とに亘って揺動案内する一対の揺動リンクを設けるとともに、揺動リンクの揺動に連れて扉体を閉止位置と開放位置とに択一的に弾性力で付勢保持する付勢機構を設けてある扉体開閉装置であって、
前記両揺動リンクの先端部に亘って枢支連結された連結リンクと第２取付け部材との間に、扉体の取付け位置を上下方向と左右方向に調節する開口面方向調節手段が設けられている点にある。
【０００８】
上記特徴構成によれば、収納室の内壁部に第１取付け部材を取付けるとともに、扉体の裏面に第２取付け部材を取付けたとき、開口部に対する扉体の閉じ位置が上下方向又は左右方向若しくは両方向にずれた場合でも、両揺動リンクの先端部に亘って枢支連結された連結リンクと第２取付け部材との間に設けられている開口面方向調節手段を操作して、連結リンクに対して第２取付け部材を上下方向又は左右方向若しくは両方向に調節することにより、開口部に対する扉体の閉じ位置を修正することができる。
【０００９】
従って、扉体の取付けに悪影響を及ぼすことなく、開口部に対する扉体の閉じ位置調整を確実、容易に行うことができる。
【００１０】
本発明による第２の特徴構成は、前記両揺動リンクの先端部に亘って枢支連結された連結リンクと第２取付け部材との間に、連結リンクに対する第２取付け部材の傾きを変更することによって扉体の先端位置を前後方向に調節する前後位置調節手段が設けられている点にある。
【００１１】
上記特徴構成によれば、両揺動リンクや付勢機構等の組付け公差や誤差などによって、閉じ位置にある扉体が微小に開き気味になっても、両揺動リンクの先端部に亘って枢支連結された連結リンクと第２取付け部材との間に設けられている前後位置調節手段を操作して、連結リンクに対する第２取付け部材の傾きを変更することにより、閉じ位置にある扉体の先端位置を確実、容易に調整することができる。
【００１２】
本発明による第３の特徴構成は、前記連結リンクと第２取付け部材との相対向する部位に、両者の上下方向及び左右方向での調節を摺接案内する摺接ガイド板部が形成されている点にある。
【００１３】
上記特徴構成によれば、両揺動リンクの先端部に亘って枢支連結された連結リンクと第２取付け部材との間に設けられている開口面方向調節手段を操作して、連結リンクに対して第２取付け部材を上下方向又は左右方向若しくは両方向に調節する際、連結リンクと第２取付け部材との開口面方向での相対移動を両摺接ガイド板部に沿ってスムーズに行わせることができる。
【００１４】
本発明による第４の特徴構成は、前記連結リンクの摺接ガイド板部に、第２取付け部材に形成された連結板部を少なくとも上下調節範囲及び左右調節範囲内で相対移動自在に前後方向から差し入れ自在な開口部が形成され、この開口部に差し入れられた第２取付け部材の連結板部と連結リンクの摺接ガイド板部の先端側に形成された連結板部との間に開口面方向調節手段が設けられている点にある。
【００１５】
上記特徴構成によれば、第２取付け部材の連結板部と連結リンクの摺接ガイド板部の先端側に形成された連結板部との間に開口面方向調節手段を設けるにあたって、第２取付け部材の連結板部を、連結リンクの摺接ガイド板部に形成された開口部に対して上下調節範囲及び左右調節範囲内で相対移動自在に前後方向から差し入れてあるが故に、開口部に対する扉体の閉じ位置調整範囲を充分確保しながらも扉体開閉装置をコンパクトに構成することができる。
【００１６】
本発明による第５の特徴構成は、前記開口面方向調節手段が、連結リンクの連結板部に形成された調節用長孔を通して第２取付け部材の連結板部に形成されたネジ孔に螺合固定される第１ネジ部材と、連結リンクの連結板部と第２取付け部材の連結板部との対向面間隔を調節する第２ネジ部材とから構成されている点にある。
【００１７】
上記特徴構成によれば、連結リンクの連結板部と第２取付け部材の連結板部との対向面間隔を第２ネジ部材で調整すると、上下で対向する場合には上下方向に、左右で対向する場合には左右方向に調整することができる。
【００１８】
この状態で第１ネジ部材を操作して、連結リンクの連結板部に形成された調節用長孔の範囲内で、開口面方向に沿って連結リンクと第２取付け部材とを相対移動させると、調節用長孔が左右に向いている場合には左右方向に、調節用長孔が上下に向いている場合には上下方向に調整することができるとともに、この第１ネジ部材又は第２ネジ部材の固定側への螺合操作で相互に緩み止め固定することができる。
【００１９】
従って、第１ネジ部材と第２ネジ部材とを螺合操作するだけで、開口部に対する扉体の閉じ位置調整を迅速、容易に行うことができるばかりでなく、開口面方向調節手段を含めた連結リンク及び第２取付け部材を嵩低くコンパクトに構成することができる。
【００２０】
本発明による第６の特徴構成は、前記連結リンクの連結板部が、第１ネジ部材の操作頭部に相当する寸法分だけ第２取付け部材の連結板部側に屈曲形成されている点にある。
【００２１】
上記特徴構成によれば、連結リンクの連結板部に対する第１ネジ部材の操作頭部の突出を抑制して、開口面方向調節手段を含めた連結リンク及び第２取付け部材のコンパクト化を促進することができる。
【００２２】
本発明による第７の特徴構成は、前記第１取付け部材と一方の揺動リンクの基端部との相対向する部位の少なくとも一方で、かつ、揺動リンクの揺動軸芯よりも先端側及び基端側の各々に、相手側に接触又は近接する荷重受け部が形成されている点にある。
上記特徴構成によれば、収納ハウジングに対して扉体を左右方向に開閉自在に取付ける場合、対称形の一対の扉体開閉装置が収納室に臨む上下の内壁部に取付けられるが、このとき、第１取付け部材と揺動アームの基端部との枢支連結部に隙間が存在すると、揺動アームが傾動して扉体が垂れ下がることになるが、この垂れ下がりを、揺動リンクの揺動軸芯回りに設けた荷重受け部によって抑制することができる。
【００２３】
しかも、荷重受け部が、揺動リンクの揺動軸芯よりも先端側及び基端側の各々に形成されているため、上方の内壁部に取付けられた場合には、揺動リンクの揺動軸芯よりも基端側に位置する荷重受け部が機能し、下方の内壁部に取付けられた場合には、揺動リンクの揺動軸芯よりも先端側に位置する荷重受け部が機能するといった具合に、上下の内壁部の何れに取付けられた場合でも、扉体の垂れ下がりを良好に抑制することができる。
【００２４】
本発明による第８の特徴構成は、前記第１取付け部材を構成する取付け基板の長辺側に、一方の揺動リンクの基端部を揺動自在に軸支するための軸受け片が折り曲げ形成され、短辺側には、他方の揺動リンクの基端部を揺動自在に軸支するための軸受け片と、付勢機構の引張コイルバネの一端側を取付けるための取付け片が折り曲げ形成されているとともに、一方の揺動リンクの基端部側には、引張コイルバネの他端側を取付けるための取付け部を備え、かつ、一方の揺動リンクを枢着するための枢支軸の突出端部を迂回する状態で取付け基板側に屈曲形成された受け部材が揺動自在に枢着されている点にある。
【００２５】
上記特徴構成によれば、第１取付け部材を構成する取付け基板の長辺側及び短辺側にそれぞれ折り曲げ形成された軸受け片により、一対の揺動リンクの基端部を両持ち状態で確実、強固に支持することができるばかりでなく、取付け基板の短辺側に折り曲げ形成された取付け片を利用して、引張コイルバネの一端側を取付けることができる。
しかも、引張コイルバネの他端側を一方の揺動リンクの基端部側に取付けるための受け部材が、枢支軸の突出端部を迂回する状態で取付け基板側に屈曲形成されているため、一方の揺動リンクの揺動に伴う受け部材と枢支軸の突出端部との相互干渉を阻止しながら、引張コイルバネの他端部と受け部材との連結位置を取付け基板側に極力近接配置することができ、扉体開閉装置の第１取付け部材側での嵩を低く構成することができるとともに、構造の簡素化と製造コストの低廉化を図ることができる。
【発明を実施するための最良の形態】
【００２６】
〔第１実施形態〕
図１〜図９は、シンクキャビネットや吊り戸棚等の建具或いは食器棚、書棚、下駄箱等の家具などに装備される扉体１の開閉装置を示し、収納室Ｓを形成する収納ハウジング２の構成部材のうち、収納室Ｓの開口高さ方向である上下方向で相対向する外側天板２Ａ及び外側底板２Ｂの内壁面（内壁部）に対して複数本のビス３で固定されるほぼ矩形状の第１取付け部材４と、扉体１の裏面に複数本のビス３で固定される第２取付け部材５とが、収納室Ｓの開口部を閉止する閉止位置と開口部の左右一側方の外側脇に移動した開放位置とに亘って扉体１を平行又はほぼ平行姿勢に維持したまま揺動案内するリンク機構Ａを介して連結されている。
【００２７】
尚、図１〜図３に示す収納ハウジング２の場合では、扉体１を左右方向に開閉操作するため、本願発明の扉体開閉装置が、収納ハウジング２の外側天板２Ａ及び外側底板２Ｂの各内壁面に取付けられているが、扉体１を上下方向に開閉操作する収納ハウジング２の場合では、本願発明の扉体開閉装置が、収納ハウジング２を構成する左右の側板２Ｃ，２Ｄの各内壁面に取付けられることになる。
【００２８】
また、図１〜図３に示す収納ハウジング２では、外側天板２Ａ及び外側底板２Ｂの各内壁面に取付けられた扉体開閉装置を隠すために、左右の側板２Ｃ，２Ｄの各内壁面には、内側天板２Ｅ及び棚板を兼用する内側底板２Ｆを前後方向から脱着自在に取付けるための保持溝２ａが形成されている。
【００２９】
リンク機構Ａは、図１〜図４に示すように、扉体１の先端（遊端又は縦框）１ａ側に取付けられる平面視略への字状の一方の揺動リンク（以下、第１揺動リンクと記載する）６と、扉体１の左右方向中間位置側に取付けられる平面視略変形Ｓ字状の他方の揺動リンク（以下、第２揺動リンクと記載する）７と、これら両揺動リンク６，７の先端部に亘って相対揺動自在に枢支連結される連結リンク８とから構成されている。
【００３０】
リンク機構Ａの第２揺動リンク７は、開放位置にあるとき、外側天板２Ａの内壁面及び外側底板２Ｂの内壁面に沿って前方に突出したのち隣接扉体１の前面に沿って左右方向に伸びるＬ字状の基端側リンク部７Ａと、これに連続して隣接扉体１の前面から次第に離間する傾斜姿勢の先端側リンク部７Ｂとから一体的に構成されているとともに、第１揺動リンク６は、開放位置にあるとき、開口部を通して隣接扉体１の前方側に伸びる傾斜姿勢の基端側リンク部６Ａと、これに連続して第２揺動リンク７の基端側リンク部７Ａの外方位置に沿う先端側リンク部６Ｂとから一体的に構成され、更に、開放位置にあるとき、扉体１の基端１ｂが、収納ハウジング２の側板２Ｃ，２Ｄの内壁面を通る仮想延長面よりも隣接扉体１側に位置するように構成されている、換言すれば、開放位置にある扉体１の大部分が隣接扉体１の前方側に重合位置するように構成されている。
【００３１】
そして、上述のように、扉体１を平行又はほぼ平行姿勢に維持したまま閉止位置と開放位置とに亘って移動させる場合には、開閉操作時における扉体１の前方への突出移動代が少なくなり、扉体１の開閉をスペース面及び取扱い面で有利に行うことができるとともに、開き操作時には、扉体１全体が開口部の外側脇に退避移動するから、開口部の開口面積を大きく取ることができる。
【００３２】
第１揺動リンク６と第１取付け部材４との間には、図３〜図４に示すように、第１揺動リンク６の揺動に連れて扉体１を閉止位置と開放位置とに択一的に弾性力で付勢保持する付勢機構Ｂが設けられているとともに、連結リンク８と第２取付け部材との間には、図４、図６〜図９に示すように、扉体１の取付け位置を上下方向と左右方向に調節する開口面方向調節手段Ｃと、連結リンク８に対する第２取付け部材５の傾きを変更することによって扉体１の先端１ａ位置を前後方向に調節する前後位置調節手段Ｄと、開口面方向調節手段Ｃによる扉体１の上下調節範囲及び左右調節範囲を設定上下調節範囲及び設定左右調節範囲に規制する調節範囲規制手段Ｅが設けられている。
【００３３】
図１、図３、図４に示すように、第１取付け部材４を構成する平面視略矩形状の取付け基板４Ａの一方の長辺には、第１揺動リンク６の基端部６ａを縦軸芯周りで揺動自在に軸支する、換言すれば、第１揺動リンク６の基端部６ａに貫通された枢支軸である第１枢支ピン１０を取付け基板４Ａとで両持ち支持するための第１軸受け片４Ｂと、両揺動リンク６，７の基部側を覆う横断面略コの字状のカバー９を取付けるための左右一対の受止め片４Ｃが折り曲げ形成されている。
【００３４】
また、取付け基板４Ａの一対の短辺のうち、第１揺動リンク６側の第１枢支ピン１０から遠い側に位置する取付け基板４Ａの短辺には、第２揺動リンク７の基端部７ａを縦軸芯周りで揺動自在に軸支する、換言すれば、第２揺動リンク７の基端部７ａに貫通された枢支軸である第２枢支ピン１１を取付け基板４Ａとで両持ち支持するための第２軸受け片４Ｄと、付勢機構Ｂの引張コイルバネ１２の一端側を取付けるための取付け片４Ｅが折り曲げ形成されているとともに、第１揺動リンク６の基端部６ａ側には、引張コイルバネ１２の他端側を取付けるための取付け部１３ａを備え、かつ、第１揺動リンク６の基端部６ａを枢着するための第１枢支ピン１０の突出頭部（突出端部）１０ａを迂回する状態で取付け基板４Ａ側にコの字状に屈曲形成された受け部材１３が、両枢支ピン１０，１１と平行な第３枢支ピン１４周りで相対揺動自在に枢着されている。
【００３５】
付勢機構Ｂの引張コイルバネ１２の両端部の各々には、ネジ孔を備えたネジ部材１６が、コイル軸線方向から螺合固定されているとともに、一方のネジ部材１６のネジ孔には、第１取付け部材４の取付け片４Ｅに挿通された付勢力調節用のネジ軸１７が螺合され、更に、他方のネジ部材１６のネジ孔には、受け部材１３の取付け部１３ａに挿通された固定用ネジ軸１８が螺合されている。
【００３６】
前記受け部材１３は、図３、図４に示すように、扉体１が開放位置にあるとき、第１取付け部材４の取付け片４Ｅのねじ軸取付け中心位置と第１揺動リンク６側の第１枢支ピン１０の中心位置(揺動軸芯位置)とを結ぶ線分Ｘに対して室外側に位置して、引張コイルバネ１２の弾性復元力で扉体１を開放位置に付勢保持し、また、図１に示すように、扉体１が閉止位置にあるときには、第１取付け部材４の取付け片４Ｅのねじ軸取付け中心位置と第１揺動リンク６側の第１枢支ピン１０の中心位置とを結ぶ線分Ｘに対して室内側に位置して、引張コイルバネ１２の弾性復元力で扉体１を閉止位置に付勢保持するように構成されている。
【００３７】
また、図４、図５に示すように、第１揺動リンク６の基端部６ａで、かつ、第１枢支ピン１０の中心である揺動軸芯よりも先端側及び基端側に偏位した部位の各々に、第１揺動リンク６の全揺動範囲に亘って第１取付け部材４の取付け基板４Ａに接触又は近接する扉荷重用の荷重受け部１９が形成されている。
【００３８】
荷重受け部１９の各々は、第１揺動リンク６の基端部６ａに揺動軸芯と平行な方向から螺合された調節ネジ１９Ａと、取付け基板４Ａに摺接可能な状態で調節ネジ１９Ａの先端に嵌合装着されるジュラコン等の合成樹脂製の摺接部材１９Ｂから構成されている。
【００３９】
そして、扉体開閉装置が収納ハウジング２の外側天板２Ａの内壁面に取付けられている場合には、第１揺動リンク６の先端側に作用する下方への扉荷重によって、第１揺動リンク６の基端部６ａと第１枢支ピン１０との間、或いは、第１枢支ピン１０と第１取付け部材４との間に存在するクリアランスの範囲内で、第１揺動リンク６が先端下がりの傾斜姿勢に傾動しようとするが、このとき、第１枢支ピン１０の揺動軸芯よりも基端側に偏位して位置する荷重受け部１９の摺接部材１９Ｂが取付け基板４Ａに接当して扉荷重を受止めることができる。
【００４０】
また、扉体開閉装置が収納ハウジング２の外側底板２Ｂの内壁面に取付けられている場合には、第１揺動リンク６の先端側に作用する下方への扉荷重によって、第１揺動リンク６の基端部６ａと第１枢支ピン１０との間、或いは、第１枢支ピン１０と第１取付け部材４との間に存在するクリアランスの範囲内で、第１揺動リンク６が先端下がりの傾斜姿勢に傾動しようとするが、このとき、第１枢支ピン１０の揺動軸芯よりも先端側に偏位して位置する荷重受け部１９の摺接部材１９Ｂが取付け基板４Ａに接当して扉荷重を受止めることができる。
【００４１】
それ故に、扉体１の垂れ下がりを、第１揺動リンク６の揺動軸芯回りに設けた荷重受け部１９によって抑制することができ、しかも、荷重受け部１９が、第１揺動リンク６の揺動軸芯よりも先端側及び基端側の各々に形成されているため、扉体開閉装置が収納ハウジング２の外側天板２Ａの内壁部に取付けられた場合には、上述のように第１揺動リンク６の揺動軸芯よりも基端側に位置する荷重受け部１９が機能し、扉体開閉装置が収納ハウジング２の外側底板２Ｂの内壁部に取付けられた場合には、上述のように第１揺動リンク６の揺動軸芯よりも先端側に位置する荷重受け部１９が機能するから、扉体開閉装置が上下の内壁部の何れに取付けられた場合でも、扉体１の垂れ下がりを確実、良好に抑制することができる。
【００４２】
リンク機構Ａの連結リンク８を構成する連結板部８Ａには、図６〜図９に示すように、第１揺動リンク６の先端部６ｂを縦軸芯周りで揺動自在に軸支する第４軸受け部、換言すれば、第１揺動リンク６の先端部６ｂに貫通された枢支軸である第４枢支ピン２１を支承するための第４軸受け孔８ａと、第２揺動リンク７の先端部７ｂを縦軸芯周りで揺動自在に軸支する第５軸受け部、換言すれば、第２揺動リンク７の先端部７ｂに貫通された枢支軸である第５枢支ピン２２を支承するための第５軸受け孔８ｂとが形成されている。
【００４３】
また、連結板部８Ａの前端側には、第２取付け部材５の摺接ガイド板部５Ａとの上下方向及び左右方向での摺接移動を案内する摺接ガイド板部８Ｂが直角に折り曲げ形成されているとともに、摺接ガイド板部８Ｂの先端（側辺）側には、第５枢支ピン２２を連結板部８Ａとで両持ち支持するための第５軸受け片８Ｃと、第２取付け部材５の摺接ガイド板部５Ａの中央部分を前方に折り曲げることによって形成された第１連結板部５Ｂと固定連結される第２連結板部８Ｄとが折り曲げ形成されている。
【００４４】
連結リンク８の摺接ガイド板部８Ｂには、第２取付け部材５の第１連結板部５Ｂを少なくとも上下調節範囲及び左右調節範囲内で相対移動自在に前後方向から差し入れ自在な長方形状の開口部２３が形成され、この開口部２３に差し入れられた第２取付け部材５の第１連結板部５Ｂと連結リンク８の第２連結板部８Ｄとの間に前記の開口面方向調節手段Ｃが設けられているとともに、第２取付け部材５の摺接ガイド板部５Ａの第４枢支ピン２１側の端部とこれに前後方向で相対向する連結リンク８の摺接ガイド板部８Ｂの端部との間に前述の前後位置調節手段Ｄが設けられている。
【００４５】
前記連結リンク８の摺接ガイド板部８Ｂに形成された開口部２３の周縁のうち、左右方向で相対向する一対の短辺側縁部分８ｃが、第２取付け部材５の第１連結板部５Ｂとの接当によって左右方向での最大調節範囲を規制する左右調節規制部に構成され、また、上下方向で相対向する一対の長辺側縁部分８ｄが、第２取付け部材５の第１連結板部５Ｂとの接当によって上下方向での最大調節範囲を規制する上下調節規制部に構成されている。
【００４６】
つまり、左右調節規制部である一対の短辺側縁部分８ｃと上下調節規制部である一対の長辺側縁部分８ｄとをもって、開口面方向調節手段Ｃによる扉体１の上下調節範囲及び左右調節範囲を設定上下調節範囲及び設定左右調節範囲に規制する調節範囲規制手段Ｅが構成されている。
尚、扉体１を上下方向に開閉操作する収納ハウジング２の場合では、本願発明の扉体開閉装置が、収納ハウジング２を構成する左右の側板２Ｃ，２Ｄの各内壁面に取付けられるため、上述とは逆に、開口部２３に臨む一対の短辺側縁部分８ｃが上下調節規制部となり、開口部２３に臨む一対の長辺側縁部分８ｄが左右調節規制部となる。
【００４７】
開口面方向調節手段Ｃは、図６〜図９に示すように、連結リンク８の第２連結板部８に、左右方向の中央に位置する左右方向に長い操作用長孔２４とそれの左右両側脇に位置する左右方向に長い一対の調節用長孔２５とを形成するとともに、第２取付け部材５の第１連結板部５Ｂには、各調節用長孔２５に挿通された第１ネジ部材２６が螺合固定される左右一対の第２ネジ孔２７と、連結リンク８の第２連結板部８Ｄと第２取付け部材５の第１連結板部５Ｂとの対向面間隔を調節する第２ネジ部材２８が螺合固定される一つの第３ネジ孔２９とを形成し、更に、第２ネジ部材２８には、連結リンク８の第２連結板部８に当て付け可能で、かつ、操作用長孔２４を通して回転操作可能な当り部２８ａが一体形成されている。
【００４８】
そして、一対の第１ネジ部材２６を緩めた状態では、連結リンク８に対して両調節用長孔２５の範囲内で第２取付け部材５を左右方向に移動調節することができ、また、操作用長孔２４を通して第２ネジ部材２８の当り部２８ａを回転操作して、連結リンク８の第２連結板部８Ｄと第２取付け部材５の第１連結板部５Ｂとの対向面間隔を調節することにより、連結リンク８に対して第２取付け部材５を上下方向に移動調節することができる。
【００４９】
尚、扉体１を上下方向に開閉操作する収納ハウジング２の場合では、本願発明の扉体開閉装置が、収納ハウジング２を構成する左右の側板２Ｃ，２Ｄの各内壁面に取付けられるため、上述とは逆に、一対の第１ネジ部材２６を緩めた状態では、連結リンク８に対して両調節用長孔２５の範囲内で第２取付け部材５を上下方向に移動調節することができ、また、操作用長孔２４を通して第２ネジ部材２８の当り部２８ａを回転操作して、連結リンク８の第２連結板部８Ｄと第２取付け部材５の第１連結板部５Ｂとの対向面間隔を調節することにより、連結リンク８に対して第２取付け部材５を左右方向に移動調節することができる。
【００５０】
また、連結リンク８の第２連結板部８Ｄが、第１ネジ部材２６の操作頭部２６ａに相当する寸法分だけ第２取付け部材５の第１連結板部５Ｂ側に屈曲形成されている。
【００５１】
前後位置調節手段Ｄは、図１，図６、図９に示すように、連結リンク８の摺接ガイド板部８Ｂの第４枢支ピン２１側の端部に、前後方向で貫通するネジ孔３０を形成するとともに、このネジ孔３０に、第２取付け部材５の摺接ガイド板部５Ａの端部を前後方向から押圧する調節ネジ３５及びロックナット３９を螺合して構成されている。
【００５２】
そして、前後位置調節手段Ｄの調節ネジ３５及びロックナット３９を螺合操作して、開口面方向調節手段Ｃに存在するクリアランスの範囲内で、連結リンク８に対する第２取付け部材５の傾きを変更することにより、扉体１の先端１ａ位置を前後方向で自由に調節することができる。
【００５３】
また、連結リンク８には、第２揺動リンク７の先端側リンク部７Ｂとの当接によって扉体１の開放位置を複数に変更可能な開放位置調節手段Ｆが設けられている。
この開放位置調節手段Ｆを構成するに、図６、図７に示すように、連結リンク８のうち、第２揺動リンク７の先端側リンク部７Ｂの揺動範囲内に位置する開放位置側の部位に、回動軸芯からの距離が異なる複数のストッパー面３１ａを備えた合成樹脂製の方形状のストッパー部材２４が、枢支ピン３２の軸芯周りで回動並びにその回動軸芯方向の一定範囲内で移動自在に枢着され、このストッパー部材３１の底面に相対向する連結リンク８の連結板部８Ａの摺動ガイド面には、ストッパー部材３１のストッパー面３１ａがストッパー作用位置で選択的に係合保持されるように、ストッパー部材３１の底面に形成された回動方向で複数（当該実施形態では４つ）の係合凹部３１ｂ、詳しくは、ストッパー部材３１の底面に十字状に切り込み形成される溝状の係合凹部３１ｂに対して選択的に係合する係止突起３３が打ち出し形成されている。
【００５４】
更に、枢支ピン３２の頭部３２ａとこれに相対向するストッパー部材３１の一側端面との間には、係止突起３３に対するストッパー部材３１の係合凹部３１ｂの乗り越え回動を許容する状態でストッパー部材３１を連結リンク８の連結板部８Ａ側に移動付勢する弾性付勢体の一例であるスプリング座金３４が設けられている。
【００５５】
そして、トールキャビネット、シンクキャビネット、吊り戸棚等によって扉体１の開放位置が異なる場合でも、連結リンク８の連結板部８Ａに枢着されたストッパー部材３１をスプリング座金３４の付勢力に抗して回動操作して、連結板部８Ａに形成された係止突起３３に対して合成樹脂製のストッパー部材３１の係合凹部３１ｂを乗り越え回動させ、その調整代に対応するストッパー部材３１のストッパー面３１ａをストッパー作用位置で係止保持することにより、扉体１の開放位置を適正な位置に迅速、容易に修正することができる。
【００５６】
尚、図中３６は、収納ハウジング２にビス３止めするために第１取付け部材４の取付け基板４Ａに形成された取付け孔であり、３７は、第１軸受け片４ｂ及び両受止め片４Ｃを形成するために取付け基板４Ａの一方の長辺に沿って折り曲げ形成された側板部４Ｆに形成されたネジ孔であり、カバー９の一方の側板部９Ａに形成された貫通孔３８を通して挿入されたビス３を螺合操作することにより、カバー９の側板部９Ａを取付け基板４Ａの側板部４Ｆに脱着自在に締め付け固定するように構成されている。
また、図４０は、扉体１にビス３止めするために第２取付け部材５の摺接ガイド板部５Ａに形成された取付け孔である。
【００５７】
〔その他の実施形態〕
（１）上述の実施形態では、リンク機構Ｂを構成する一対の揺動リンク６，７のうち、第１揺動リンク６の基端部６ａと第１取付け部材４との間に付勢機構Ｂを設けたが、第２揺動リンク７の基端部７ａと第１取付け部材４との間に付勢機構Ｂを設け設けてもよい。
要するに、付勢機構Ｃとしては、リンク機構Ｂの揺動に連れて扉体１を閉止位置と開放位置とに択一的に弾性力で付勢保持することのできるものであれば、いかなる構造に構成してもよい。
【００５８】
（２）上述の実施形態では、本願発明の扉体開閉装置を、収納ハウジング２の外側天板２Ａ及び外側底板２Ｂの各内壁面に取付けて、扉体１を左右方向に開閉操作自在に構成したが、本願発明の扉体開閉装置を、収納ハウジング２を構成する左右の側板２Ｃ，２Ｄの各内壁面に取付けて、扉体１を上下方向に開閉操作自在に構成してもよい。
【００５９】
（３）上述の実施形態では、連結リンク８の摺接ガイド板部８Ｂに、第２取付け部材５の第１連結板部５Ｂを少なくとも上下調節範囲及び左右調節範囲内で相対移動自在に前後方向から差し入れ自在な長方形状の開口部２３を形成したが、この開口部２３の周方向の一部が切欠き形成されていてもよい。
要するに、開口部２３の形状としては、開口面方向調節手段Ｃによる扉体１の上下調節範囲及び左右調節範囲を設定上下調節範囲及び設定左右調節範囲に規制することのできる形状が望ましい。
また、開口部２３で調節範囲を規制しない場合には、開口面方向調節手段Ｃによる扉体１の上下調節範囲及び左右調節範囲を設定上下調節範囲及び設定左右調節範囲に規制する他の構造の調節範囲規制手段Ｅを設けることになる。
【００６０】
（４）連結リンク８と第２取付け部材との間に設けられる開口面方向調節手段Ｃとしては、扉体１の取付け位置を上下方向と左右方向に調節することのできる機能を有しておれば、如何なる構造のものを用いてもよい。
【００６１】
（５）前後位置調節手段Ｄとしては、連結リンク８に対する第２取付け部材５の傾きを変更することによって扉体１の先端１ａ位置を前後方向に調節することのできる機能を有しておれば、如何なる構造のものを用いてもよい。
【図面の簡単な説明】
【００６２】
【図１】本発明の扉体開閉装置の第１実施形態を示す扉体閉止時における断面平面図
【図２】図１のＩＩ-ＩＩ線矢視における断面図
【図３】扉体開放時における断面平面図
【図４】扉体開閉装置全体の斜視図
【図５】第１取付け部材側の要部の拡大断面図
【図６】第２取付け部材側の拡大一部切欠き平面図
【図７】図６のＶＩＩ-ＶＩＩ線断面図
【図８】第２取付け部材側の要部の拡大縦断面図
【図９】第２取付け部材及び連結リンクの一部切欠き分解斜視図
【符号の説明】
【００６３】
Ａ        リンク機構
Ｂ        付勢機構
Ｃ        開口面方向調節手段
Ｄ        前後位置調節手段
Ｅ        調節範囲規制手段
Ｓ        収納室
１        扉体
４        第１取付け部材
４Ａ      取付け基板
４Ｂ      軸受け片（第１軸受け片）
４Ｃ      受止め片
４Ｄ      軸受け片（第２軸受け片）
４Ｅ      取付け片
５        第２取付け部材
５Ａ      摺接ガイド板部
５Ｂ      第１連結板部
６        揺動リンク（第１揺動リンク）
７        揺動リンク（第２揺動リンク）
８        連結リンク
８Ｂ      修正ガイド板部
８Ｄ      第２連結板部
１０      枢支軸（第１枢支ピン）
１１      枢支軸（第２枢支ピン）
１２      引張コイルバネ
１３      受け部材
１３ａ    取付け部
１９      荷重受け部
２３      開口部
２５      調節用長孔
２６      第１ネジ部材
２８      第２ネジ部材
【図１】
2005240465.tif 000003
【図２】
2005240465.tif 000004
【図３】
2005240465.tif 000005
【図４】
2005240465.tif 000006
【図５】
2005240465.tif 000007
【図６】
2005240465.tif 000008
【図７】
2005240465.tif 000009
【図８】
2005240465.tif 000010
【図９】
2005240465.tif 000011